(57)【特許請求の範囲】
【請求項１】
複数のチャネルを有する光入力信号をそれぞれ受信する１又は複数の入力ポートと、
前記入力ポートのうちの１つに接続され、該１つの入力ポートからの前記光入力信号をそれぞれ複製する１又は複数の第１の光カプラと、
１以上の該第１の光カプラから出力された前記複製された光入力信号から所定のチャネルをそれぞれ選択して転送する１又は複数のフィルタ部と、
該フィルタ部のうちの１つに接続され、該１つのフィルタ部から出力された前記選択されたチャネルをそれぞれ合成する１又は複数の第２の光カプラと、
該第２の光カプラのうちの１つに接続され、該１つの第２の光カプラから出力された前記合成されたチャネルを光出力信号としてそれぞれ出力する１又は複数の出力ポートと、
前記フィルタ部のうちの１つに接続され、該１つのフィルタ部から出力された前記選択されたチャネルを再生する１つの再生モジュールと、
を備え、
該再生モジュールは、
前記選択されたチャネルをそれぞれ複製する１又は複数の第３の光カプラと、
該第３の光カプラからの複製されたチャネルをそれぞれ再生する１又は複数のトランスポンダと、
該トランスポンダのうちの複数に接続され、該複数のトランスポンダから出力された前記再生されたチャネルをそれぞれ合成する１又は複数の第４の光カプラと、
を備え、
当該光相互接続装置は、
前記第４の光カプラの１つと接続され、該１つの第４の光カプラからの前記合成されたチャネルを複製する１つの第５の光カプラと、
を更に有し、
前記第５の光カプラからの出力は、前記１又は複数のフィルタ部に接続される、
ことを特徴とする光相互接続装置。
【請求項２】
１つの前記第１の光カプラの出力を増幅して前記フィルタ部に複製及び増幅された光入力信号をそれぞれ転送する１又は複数の第１の増幅器、
を備えることを特徴とする請求項１記載の光相互接続装置。
【請求項３】
１つの前記第２の光カプラの出力を増幅して前記出力ポートに合成及び増幅されたチャネルを光出力信号としてそれぞれ転送する１又は複数の第２の増幅器、
を備えることを特徴とする請求項１記載の光相互接続装置。
【請求項４】
前記再生モジュールに接続された前記１つのフィルタ部と前記再生モジュールとの間、前記再生モジュールと前記第５の光カプラとの間、のうちの一方又は両方に配置され、前記再生モジュールに接続された前記１つのフィルタ部から受信した前記選択されたチャネルを増幅し前記第５の光カプラに対して増幅されたチャネルとして転送する１又は複数の第３の光増幅器、
を備えることを特徴とする請求項１記載の光相互接続装置。
【発明の詳細な説明】
【技術分野】
【０００１】
本発明は、一般に光伝送システムに関し、特に再生モジュールを有する光相互接続カプラに関する。
【背景技術】
【０００２】
テレコミュニケーションシステム、ケーブルテレビジョンシステム及びデータ通信ネットワークは、遠隔した地点間で大量の情報を速やかに搬送するために光ネットワークを利用する。光ネットワークでは、情報は、光信号の形式で光ファイバを介して搬送される。光ファイバは、非常に低損失で長距離にわたって信号を伝送することの可能な細いガラス線より成る。
【０００３】
光ネットワークは伝送容量を増やすために波長分割多重化（ＷＤＭ）又は高密度波長分割多重化（ＤＷＤＭ）を利用することが間々ある。ＷＤＭ及びＤＷＤＭネットワークでは、多くの光チャネルが異なる波長で各ファイバにて搬送される。ネットワーク容量は、各ファイバ又はチャネルにおける波長又はチャネルの数、又はチャネルのサイズ等に基づく。
【０００４】
光相互接続装置（ＯＸＣ：ｏｐｔｉｃａｌ  ｃｏｒｓｓ−ｃｏｎｎｅｃｔｏｒ）は、光ネットワーク内でルーティングする波長経路にしばしば利用される。典型的なＯＸＣノードでは、アレイウエーブガイドグレーティング（ＡＷＧ：ａｒｒａｙ  ｗａｖｅｇｕｉｄｅ  ｇｒａｔｉｎｇ）が、ＷＤＭ／ＤＷＤＭ信号をその波長成分に分離するために使用される。
【発明の開示】
【発明が解決しようとする課題】
【０００５】
ＡＷＧは、固定されたチャネル間隔及び固定数の出力ポートを有するので、これらの装置は、ＯＸＣノードのチャネルスペーシング及びスイッチングの柔軟性（フレキシビリティ）を制限する。
【課題を解決するための手段】
【０００６】
本発明の特定の態様によれば、光相互接続装置は、各々が光入力信号を受信する複数の入力ポートと、光出力信号を各々が出力する複数の出力ポートとを含む。光相互接続装置は、入力ポートの各々に関連する分配増幅器を含み、分配増幅器は、関連する入力ポートで受信した入力信号の複製を複数個生成する。更に、光相互接続装置は、複数のフィルタ部を含み、フィルタ部は、１以上の分配増幅器からの１以上の入力信号の複製を受信し、１以上の複製の選択されたチャネル内のトラフィックを転送する。更に、光相互接続装置は、出力ポートの各々に関連する合成増幅器を含む。合成増幅器の各々は、１以上のフィルタ部により転送された１以上のチャネル内のトラフィックを受信し、関連する出力ポートから出力するために、受信したトラフィックを出力信号に合成する。光相互接続装置は、１以上の再生モジュールを含み、再生モジュールの各々は、１以上の入力信号の１以上のチャネル内のトラフィックを再生する。
【発明の効果】
【０００７】
本発明の１以上の態様に関する技術的利点は、マルチプレクサ又はデマルチプレクサを使用することを要しない光相互接続カプラを提供することを含む。そのような態様は、波長切換の柔軟性を提供する、なぜなら、光カプラを利用する場合に何らの固定的なチャネル数もチャネル間隔の制約もないからである（マルチプレクサ及びデマルチプレクサを利用する光相互接続装置とは大きく異なる。）。更に、光カプラ又は同様な受動的ウエーブガイド素子を利用すると、より多くの信頼性を与え、低コストの製品をもたらす。更に、特定の態様によるモジュール式のアーキテクチャは、追加的なアップグレード（進展するにつれて料金を支払う）及びサービス中のアップグレードを可能にする。
【０００８】
更に、ある態様は、特定の入力信号又はその一部の選択的な再生機能を与える。この選択的な再生は、冗長的な光−電気−光の変換を排除し又は減らし、光相互接続装置のコストを下げる。
【０００９】
本発明による様々な態様は、列挙された技術的利点の全部又は一部を含んでもよいし、全く含まなくてもよいことが理解されるであろう。更に、本発明による他の技術的利点は、明細書、特許請求の範囲及び図面により当業者に速やかに理解されるであろう。
【発明を実施するための最良の形態】
【００１０】
図１は、光相互接続装置（ＯＸＣ）１０を示すブロック図である。ＯＸＣは、多数の光チャネルが共通の経路で異なるチャネルで伝送される光ネットワークに実装される（例えば、波長分割多重化（ＷＤＭ）方式、高密度波長分割多重化（ＤＷＤＭ）方式、低密度（ｃｏａｒｓｅ）波長分割方式又は他の適切な多重化方式のネットワークである。）。ＯＸＣは様々に異なる目的で様々な用途に使用されてもよいが、それらの基本的な機能は、１以上の入力信号の１以上のチャネルで伝送される情報を、１以上の出力信号の１以上のチャネルに切り換えることである。
【００１１】
単なる例として、ＯＸＣ１０は４つの入力ポート２０ａ−２０ｄを有し、それらは４つの別々の入力信号２２ａ−２２ｄを受信するよう動作する。以下に説明されるように、４つの入力ポート２０及び入力信号２２が図示されているが、適切ないかなる数のポート２０及び信号２２が実現及び／又は使用されてもよい。ある実施例では、各入力信号２２は、対応する入力ポート２０に接続された光ファイバ上で受信された信号を構成する。各入力信号２２は、別々の情報（トラフィック）を各々が伝送できる多数のチャネルを含む。特定の入力信号２２の各チャネル内のトラフィックは、ＯＸＣ１０によって、多数の出力ポート３０ａ−３０ｄのどれにでも転送即ち「切り換えられ」てもよく、関連する出力信号３２ａ−３２ｄの一部として通知される。単なる例として、入力信号２２ａのチャネル内のトラフィックは、出力信号３２ｃのチャネルとしてＯＸＣ１０から転送されてもよい。入力ポート２０と同様に、４つの出力ポート３０が図示されているが、適切ないかなる数の出力ポート３０及び関連する出力信号３２が実現及び／又は使用されてもよい。
【００１２】
ＯＸＣ１０は、分配増幅器４０、波長フィルタ部５０（波長選択フィルタ部又は波長阻止部として言及されてもよい）及び合成増幅器６０の列を用いて、１つの信号２２に関する特定のチャネルを特定の出力ポート３０へ転送することができる。図１に示されるように、入力ポート２０の各々に関連する分配増幅器４０がある。分配増幅器４０の各々は、その関連する入力ポート２０からの信号を受信し、その入力信号２２の複製（コピー）を複数作成し、１以上のフィルタ部５０に転送する。分配増幅器４０の各々は、（任意の入力チャネルが任意の出力チャネルに転送可能であるように）ＯＸＣ１０内のフィルタ部５０の各々について関連する入力信号２２の複製を生成してもよい。しかしながら、入力信号２２に関する適切な他の任意の複製数が、分配増幅器４０の各々によって作成されてもよい。図示の簡明化のため描かれていないが、分配増幅器４０の各々は、いかなる２つのカプラ７０の間の及び／又はカプラ７０及びフィルタ部５０の間のファイバ区間に設けられた１以上の増幅器を含み、分配増幅器４０によって形成された入力信号２２の複製を増幅してもよい。この目的のために、適切などのような増幅器が使用されてもよい。
【００１３】
分配増幅器４０の各々は、関連する入力信号２２の複製を作成するために、一連の光カプラ７０を利用する。光カプラ７０の各々は、光信号を合成及び／又は分割するよう動作する光ファイバカプラその他の光学装置から構成されてもよい。ここで使用されるように、「光カプラ」及び「カプラ」なる語は、マルチプレクス（多重化）せずに２以上の入力光信号に基づいて、合成された光信号に合成し又は生成するよう動作し、デマルチプレクス（分離）せずに入力光信号に基づいて、入力光信号を個々の光信号に分離又は分割するよう動作するどのような装置をも示す。個々の信号は、周波数、形式及び内容に関して同様又は同一であってもよい。例えば、個々の信号は、内容的には同一でパワーが同じ又は実質的に同様であってもよいし、内容的には同一であるがパワーが異なっていてもよいし、或いは内容がわずかに異なっていてもよい。
【００１４】
図示の例では、分配増幅器４０各々のカプラ７０は１×２カプラであり、そのカプラは、入力信号を、実質的に等しいパワー及び実質的に等しい内容を備えた２つの複製に分割する。カプラ７０はカスケード接続され、最初のカプラ７０が関連する入力信号２２を受信し、その信号の２つの複製を作成する。これらの複製の各々は、別々のカプラ７０に転送され、別々のカプラ各々は、受信した複製の複製を作成する。このようにして、入力信号２２各々に４つの複製が、各分配増幅器４０により作成される。しかしながら、適切な任意数の複製を作成するために、適切ないかなる数のカプラ７０が使用されてもよい。例えば、各入力信号２２の複製が各フィルタ部５０について作成される例では、各分配増幅器４０は、これらの複製を作成するために適切な数のカプラを有する。「２段の」カスケード式のカプラ７０が各分配増幅器４０に示されているが、適切などのような段数が使用されてもよい。更に、ある実施例では、カプラにより受信された信号の２以上の複製を生成するカプラが使用されてもよい。そのようなカプラを利用すると、分配増幅器４０の各々で使用されるカプラ数を減らすことができる。
【００１５】
各分配増幅器４０で生成された関連する入力信号２２の複製は、分配増幅器４０から１以上のフィルタ部５０へ転送される。例えば、図示の例では、複製は、フィルタ部５０の各々に転送される。フィルタ部５０は１以上のフィルタより成り、フィルタ部５０で受信した各信号の特定のチャネル（様々な入力信号２２ａ−２２ｄの複製）を転送する。図２に関連して更に詳細に説明されるように、特定の実施例では、各フィルタ部５０は、到来する信号各々に関する分離フィルタを含んでもよい。そのような場合には、各フィルタは、関連する入力信号の１以上のチャネルを転送し（通過させ）、残りのチャネルを終端させる（阻止する）ように構成される。例えば、入力信号２２ａの第１チャネル内のトラフィックは、出力ポート３０ｃに転送される、即ち「切り換えられる」場合に、入力信号２２ａの複製を受信するフィルタ部５０ｃのフィルタは、その信号の第１チャネルを転送するように構成される。（転送される入力信号２２ａの他の任意のチャネルと共に）そのチャネルは、フィルタ部５０ｃから合成増幅器６０ｃへ出力される。他の入力信号２２ｂ−２２ｄの選択されたチャネルは、フィルタ部５０ｃの関連するフィルタにより同様に転送され、合成増幅器６０ｃに出力されてもよい。フィルタ部５０の動作に関する更なる詳細は、図２を参照しながら以下に説明される。
【００１６】
上述したように、各フィルタ部５０により出力される様々な入力信号２２の選択されたチャネルは、関連する合成増幅器６０に転送される。分配増幅器４０と同様に、合成増幅器６０は１以上のカプラから構成される。しかしながら、受信信号をその信号の複数の複製に分割する代わりに、合成増幅器６０は、逆に、関連するフィルタ部５０から受信した複数の信号を１つの信号に合成するように動作する。例えば、図示の例では、フィルタ部５０ａは各信号２２ａ−２２ｄからの特定のチャネルを合成増幅器６０ａに転送してもよい。合成増幅器６０ａの第１カプラ７０は、信号２２ａから転送されたチャネルを信号２２ｂからのものに合成してもよいし、第２のカプラ７０は、信号２２ｃから転送されたチャネルを信号２２ｄからのものに合成してもよい。第３のカプラ７０は、これら２つの合成された信号を、信号２２ａ−２２ｄの総てから転送されたチャネルを含む１つの信号に合成してもよい。それは出力信号３２ａになり、関連する出力ポート３２ａから転送される。分配増幅器４０と同様に、合成増幅器６０は、適切な数及び形式のカプラ７０を含んでもよい。更に、合成増幅器６０は、合成増幅器６０で合成される信号を増幅するための増幅器を含んでもよい。
【００１７】
動作時にあっては、ＯＸＣ１０は複数の入力信号２２を受信し、複数の入力信号の各々がトラフィックの複数のチャネルを含む。これらの信号各々の複製は１以上のフィルタ部５０に転送され、フィルタ部は個々の出力ポート３０にそれぞれ関連する。各フィルタ部５０は、その関連する出力ポート３０に転送するために、受信した入力信号２２の各々から１以上のチャネルを（フィルタリングにより）選択する、或いは何らのチャネルも選択しない。このフィルタリングは、２つの異なる入力信号２２からの同一のチャネルがフィルタ部５０から転送されないように（干渉を回避するように）実行されてもよい。入力信号２２各々の選択されたチャネルは、各フィルタ部５０から転送され、関連する合成増幅器６０を用いて合成され、関連する出力ポート３０から出力信号３２として転送される。このようにして、いかなる入力信号２２のいかなるチャネルも、ＯＸＣ１０の出力ポート３０から出力され得る。４つの入力ポート２０（及び関連する信号２２）及び４つの出力ポート３０（及び関連する信号３２）が描かれているが、適切ないかなる数の入力ポート及び出力ポートが実装されてもよいことは、理解されるべきである。更に、入力ポート２０の数は出力ポート３０の数に等しい必要はなく、ＯＸＣ１０が、入力ポート２０全体から出力ポート３０全体へ選択されたチャネルを転送するよう構成されることは必須ではない。
【００１８】
図２は、ＯＸＣ１０のフィルタ部５０ａ及び合成増幅器６０ａを更に詳細に示すブロック図である。合成増幅器５０ａは、（他の適切な形式のフィルタが使用されてもよいが及び／又は他の適切な数のフィルタがＯＸＣ１０をスケーラブルにするように使用されてもよいが）４つの別個のチューナブルフィルタ５２を含み、１つのフィルタ５２は入力信号２２の到来する複製の各々に対するものである。より具体的には、図示の例では、フィルタ５２ａは入力信号２２ａの（ＯＸＣ１０の分配増幅器４０ａからの）複製を受信し、フィルタ５２ｂは入力信号２２ｂの（ＯＸＣ１０の分配増幅器４０ｂからの）複製を受信し、フィルタ５２ｃは入力信号２２ｃの（ＯＸＣ１０の分配増幅器４０ｃからの）複製を受信し、フィルタ５２ｄは入力信号２２ｄの（ＯＸＣ１０の分配増幅器４０ｄからの）複製を受信する。しかしながら、適切ないかなる数のフィルタ５２が実装されてもよく、適切ないかなる数の信号２２が受信されてもよいことは理解されるであろう。
【００１９】
フィルタ５２は（アコースティック光チューナブルフィルタのような）チューナブルフィルタ、仮想的な画像処理フェーズドアレー技術を利用するフィルタ、薄膜フィルタ、固定的なフィルタその他適切なフィルタから構成されてもよい。更に、各フィルタ５２は、単独のフィルタから構成されてもよいし、直列に、並列に又は他の方式で接続された複数のフィルタから構成されてもよい。フィルタ５２は、増幅された自然放出（ＡＳＥ：ａｍｐｌｉｆｉｅｄ  ｓｐｏｎｔａｎｅｏｕｓ  ｅｍｉｓｓｉｏｎ）を選別することができる。
【００２０】
動作時にあっては、例示的なフィルタ部５０ａのフィルタ５２の各々は、それらに関連する入力信号２２を受信する。各フィルタ５２は、入力信号の選択されたチャネルが、そのフィルタ５２を通過できるように構成される。上述したように、各フィルタ５２を通過するチャネルは、合成されて出力信号３２ａとして出力されることが望まれるチャネルである。限定ではなく単なる例として、各入力信号２２は４０個の占有チャネルを含むことが想定され（そのような場合でないことも間々ある）、チューナブルフィルタ５２ａは入力信号２２ａの第１群の１０個のチャネル（λ１−λ１０）を転送するよう構成され、チューナブルフィルタ５２ｂは入力信号２２ｂの第２群の１０個のチャネル（λ１１−λ２０）を転送するよう構成され、チューナブルフィルタ５２ｃは入力信号２２ｃの第３群の１０個のチャネル（λ２１−λ３０）を転送するよう構成され、チューナブルフィルタ５２ｄは入力信号２２ｄの第４群の１０個のチャネル（λ３１−λ４０）を転送するよう構成されることが想定される。明らかに、適切な他のいかなるチャネルの組み合わせが各入力信号２２から選択されてもよいし、出力信号３２ａはトラフィックに占有された利用可能なチャネル総てを有する必要はない。「極端な」場合では、どのフィルタ５２ａ−５２ｄも、信号の総て（λ１−λ４０）を転送するように構成されるかもしれない。
【００２１】
上記の例に続いて、フィルタ５２ａは信号２２ａのλ１−λ１０を合成増幅器６０ａのカプラ７０ａに転送し、フィルタ５２ｂも信号２２ｂのλ１１−λ２０をカプラ７０ａに転送する。カプラ７０ａはこれら２つの信号を合成する。更に、フィルタ５２ｃは信号２２ｃのλ２１−λ３０をカプラ７０ｂに転送し、フィルタ５２ｄも信号２２ｄのλ３１−λ４０をカプラ７ｂに転送する。カプラ７０ｂはこれら２つの信号を合成する。合成された信号は、カプラ７０ａ，７０ｂからカプラ７０ｃに転送され、カプラ７０ｃは受信した２つの信号を出力信号３２ａに合成する。上述したように、適切ないかなる数のカプラ７０が、各入力信号２２から選択されたチャネルを合成するために使用されてもよい。更に、増幅器は、カプラ及びフィルタの損失を補償するために及びパワーレベルを制御するために、合成増幅器６０ａにより転送されたいかなる信号をも増幅するように使用されてもよい。
【００２２】
図３は、光信号を相互接続する方法例を示すフローチャートである。本方法は、ステップ１００から始まり、複数の入力光信号がＯＸＣ又は同様な装置で受信される。ステップ１０２では、複数の複製が入力光信号各々に作成される。上述したように、カプラはそれらの複製を作成するように使用されてもよい。ステップ１０４では、入力信号の１以上の複製が、１以上の出力ポートに関連する多数のフィルタ部に転送される。一実施例では、各入力信号の複製は、各フィルタ部に転送され、いかなる入力信号のいかなる部分も、どのような出力ポートからでも出力され得る。しかしながら、これが実行されることは必須ではない。ステップ１０６では、各フィルタ部は、入力信号の１以上の選択されたチャネル内のトラフィックを転送する（１つの複製がフィルタ部により受信される）。他の選択されていないチャネル内のトラフィックは、終端される。ステップ１０８では、特定のフィルタ部から転送された入力信号チャネルの各々におけるトラフィックが合成され、合成されたトラフィックは、出力信号として、ステップ１１０にて、各フィルタ部に関連する出力ポートから通知される。このように、入力信号の特定のチャネル内のトラフィックは、関連する出力信号の一部として通知されるように、所望の出力ポートに転送される。
【００２３】
図４は、本発明の一実施例による再ループを有するＯＸＣ２１０を示すブロック図である。単なる例として、ＯＸＣ２１０は３つの入力ポート２２０ａ−２２０ｃを含み、それらは３つの別々の入力信号２２２ａ−２２２ｃを受信するよう機能する。３つの入力ポート２２０及び入力信号２２２が描かれているが、適切ないかなる数のポート２２０及び信号２２２が実装及び／又は使用されてもよい。ある実施例では、各入力信号２２２は、対応する入力ポート２２０に結合された光ファイバ上で受信された信号より成る。各入力信号２２２は、多数のチャネルより成り、チャネルの各々は別々のトラフィックを伝送することができる。ＯＸＣ１０と同様に、特定の入力信号２２２の各チャネル内のトラフィックは、ＯＸＣ２１０によって、多数の出力ポート２３０ａ−２３０ｃのどれにでも転送され又は「切り換えられ」てもよく、関連する出力信号２３２ａ−２３２ｃの一部として通知されてもよい。
【００２４】
ＯＸＣ１０と同様に、ＯＸＣ２１０は、各入力ポート２２０に関連する分配増幅器２４０ａ−２４０ｃを含む。各分配増幅器２４０は、その関連する入力ポート２２０から信号を受信し、１以上のフィルタ部２５０へ転送するための入力信号２２２の複数の複製を作成する。ＯＸＣ２１０は、以下に詳細に説明されるような、再生モジュール２８０に関する分配増幅器２４０ｄも含む。各分配増幅器２４０は、その分配増幅器２４０により生成された入力信号２２２の複製を増幅するために、任意の２つのカプラ２７０の間の及び／又はカプラ２７０及びフィルタ部２５０の間のファイバ区間に設けられた１以上の増幅器を含んでもよい。この目的のため、適切ないかなる増幅器が使用されてもよい。分配増幅器２４０は、ＯＸＣ１０の分配増幅器４０と同じ又は実質的に同様に構成され及び動作してもよい。
【００２５】
ＯＸＣ１０と同様に、各分配増幅器２４０で生成された関連する入力信号２２２の複製は、分配増幅器２４０から１以上のフィルタ部２５０に転送される。ＯＸＣ１０のフィルタ部５０と同様に、各フィルタ部２５０は、入来する信号の各々に関連する別々のフィルタを含んでもよい。そのような場合には、各フィルタは、関連する入力信号の１以上のチャネルを転送し、残りのチャネルを終端するように構成される。フィルタ部２５０は、ＯＸＣ１０のフィルタ部５０と同じに又は実質的に同様に構成され及び動作してもよい。
【００２６】
フィルタ部２５０ａ−２５０ｃにより出力された様々な入力信号２２２の選択されたチャネルは、関連する合成増幅器２６０に転送される。ＯＸＣ１０の合成増幅器６０と同様に、合成増幅器２６０は、関連するフィルタ部２５０から受信した複数の信号を１つの信号に合成する。この信号は、関連する出力ポート２３０に転送される。合成増幅器２６０は、ＯＸＣ１０の合成増幅器６０と同じ又は実質的に同様に構成され及び動作してもよい。
【００２７】
上述したように、ＯＸＣ１０に関連して説明されたものと同様な素子に加えて、ＯＸＣ２１０は、再生モジュール２８０も含む。再生モジュール２８０は、フィルタ部２５０ｄにより出力された選択されたチャネルを受信するよう動作し、再生モジュール２８０で受信したチャネルの波長を再生及び変換するよう動作する。再生モジュール２８０は、フィルタ部２５０ｄから受信した各入力信号の複数の複製を作成する１以上の分配増幅器２８２（分配増幅器２４０と同一でも類似でもよい）と、関連する入力信号の１以上のチャネルを転送する１以上のフィルタ部２８４（フィルタ部２５０と同一でも類似でもよい）とを含む。特定の実施例では、分配増幅器２８２及びフィルタ部２８４は、デマルチプレクサで置換されてもよい。
【００２８】
再生モジュール２８０は、関連するフィルタ部２８４から受信した信号を再生する１以上のトランスポンダ２８６（又は他の適切な信号再生器）をも含む。トランスポンダ２８６は、２Ｒ（増幅及び再整形）及び３Ｒ（増幅、再整形及び再タイミング合わせ）の再生を含む、適切ないかなる形式の再生を実行してもよい。更に、トランスポンダ２８６は、受信した信号の１以上の波長を変換してもよい。再生モジュール２８０は、１以上の合成増幅器２８８を更に含み、合成増幅器は、トランスポンダ２８６から転送された信号を受信し、それらの信号を単独の信号に合成し、その単独の信号は分配増幅器２４０ｄに転送される。
【００２９】
動作時にあっては、ＯＸＣ１０と同様に、ＯＸＣ２１０は、各々がトラフィックの複数のチャネルを含む複数の入力信号２２２を受信する。これらの信号２２２の各々の複製は、分配増幅器２４０ａ−２４０ｃによって、１以上のフィルタ部２５０ａ−２５０ｃに転送され、フィルタ部の各々は個々の出力ポート２３０に関連する。各フィルタ部２５０ａ−２５０ｃは、関連する出力ポート２３０に転送するために、受信した入力信号２２２の各々から、１以上のチャネルを（フィルタリングにより）選択する、或いは何らのチャネルも選択しない。各入力信号２２２の選択されたチャネルは、フィルタ部２５０ａ−２５０ｃの各々から転送され、関連する合成増幅器２６０を用いて合成され、関連する出力ポート２３０から出力信号２３２として転送される。
【００３０】
上述した相互接続動作に加えて、ＯＸＣ２１０は、１以上の入力信号２２２の１以上のチャネル内のトラフィックを再生し及び／又は波長変換を行ってもよい。この再生機能は、分配増幅器２４０ｄ、フィルタ部２５０ｄ及び再生モジュール２８０を利用することで実現される。図４に描かれているように、分配増幅器２４０ａ−２４０ｃの各々は、関連する入力信号の複製をフィルタ部２５０ｄに転送する。フィルタ部２５０ｄは、再生及び／又は波長変換用に、１以上の入力信号２２２から選択されたチャネルを再生モジュール２８０に転送するよう構成されてもよい。各入力信号２２２から選択されたチャネルは、再生モジュール２８０にて受信される。再生モジュール２８０で受信した各信号内のチャネルは、分配増幅器２８２及びフィルタ部２８４を用いて、又はデマルチプレクサを用いて分離されてもよい。
【００３１】
分離されたチャネルのトラフィックは、１以上のトランスポンダ２８６に転送される。上述したように、トランスポンダ２８６は、受信したトラフィックを再生し、その波長を変換してもよい。例えば、あるチャネル内のトラフィックが再生され、他のチャネル内のトラフィックが再生され、波長変換されてもよい。再生されたトラフィックは、トランスポンダ２８６から１以上の合成増幅器２８８へ転送され、合成増幅器は再生されたトラフィックを単独の信号に合成する。この信号は分配増幅器２４０ｄに転送される。図示の例では、分配増幅器２４０ｄは、受信した信号の複製を生成し、複製をフィルタ部２５０ａ−２５０ｃの各々に転送する。フィルタ部２５０ａ−２５０ｃの各々は、関連する出力信号２３２に組み込むために、再生された信号から選択されたチャネルのトラフィックを、関連する合成増幅器２６０ａに転送するよう構成される。
【００３２】
例として、入力信号２２２ａの第１チャネルのトラフィックが、ＯＸＣ２１０の入力ポート２２０で受信され、入力信号２２２ａの複製がフィルタ部２５０ａ−２５０ｄの各々に転送されてもよい。そのトラフィックは、１以上のフィルタ部２５０ａ−２５０ｃに転送される前に、再生され及び／又は波長変換されることを要し、そのチャネル内のトラフィックは、入力信号２２２ａの複製を受信したフィルタ部２５０ａ−２５０ｃのフィルタにより終端されるものとする。しかしながら、そのトラフィックはフィルタ部２５０ｄへ転送される（但し、そのトラフィックは、再生も波長変換もされずに１以上の出力ポート２３２へ転送され、再生され及び／又は波長変換された後に１以上の別の出力ポート２３２に転送されてもよいことは、理解されるべきである。）。入力信号２２２ａの第１チャネルのトラフィックは、フィルタ部２５０ｄから再生モジュール２８０へ転送され、再生され及び他のチャネル／波長に変換されるかもしれない。再生されたトラフィックは、他の再生されたトラフィックと合成され、再生されたトラフィックの複製を各フィルタ部２５０へ転送する分配増幅器２４０ｄへ転送する。入力信号２２２ａを受信したフィルタとは別のフィルタ部２５０の異なるフィルタが、分配増幅器２４０ａからの信号を受信するので、入力信号２２２ａの第１チャネルから生成されたトラフィックは、関連する出力ポート２３０により通信するために、そのフィルタにより、関連する合成増幅器２６０に転送されてもよい。或いは、トラフィックが通信される波長／チャネルが、再生モジュール２８０により変更され、１以上のフィルタ部２５０ａ−２５０ｃの受信フィルタは、関連する出力ポート２３０から通信するために、再生され波長変換されたトラフィックを関連する合成増幅器２６０へ転送するよう構成されてもよい。
【００３３】
このように、いかなる入力信号２２２のいかなるチャネルも、ＯＸＣ２１０のいかなる出力ポート２３０からでも出力されてよい。更に、１以上のこれらのチャネル内のトラフィックは、それが出力される前に再生され及び／又は波長変換されてもよい。３つの入力ポート２２０（及び関連する信号２２２）及び３つの出力ポート（及び関連する信号２３２）が図示されているが、適切ないかなる数の入力ポート及び出力ポートが使用されてもよいことは、理解されるべきである。更に、入力ポート２２０の数は出力ポート２３０の数に一致する必要はなく、ＯＸＣ２１０は、入力ポート２２０の全体から出力ポート２３０の全体へ、選択されたチャネルを転送するよう構成されることは必須ではない。
【００３４】
図５は、本発明の一実施例による再生ループバック部３９０を有するＯＸＣ３１０を示すブロック図である。ＯＸＣ３１０は、ｎ個の入力ポート３２０ａ−３２０ｎと、関連する入力信号３２２ａ−３２２ｎを含む。入力信号３２２の特定のチャネル内のトラフィックが、（再生部３８０により）１以上の出力ポートへ直接的に伝送される、或いは１以上の出力ポート３３０から出力される前に、再生ループバック部３９０により最初に転送されてもよいように、ＯＸＣ３１０が構築されてもよい。
【００３５】
ＯＸＣ２１０とは異なり、ＯＸＣ３１０は、２つの別種の再生を実行する素子を含む。その第１の素子は再生モジュール３８０である。これらの再生モジュール３８０は、ＯＸＣ３１０から出力される総てのトラフィックについて、（例えば、２Ｒ又は３Ｒ再生のような）再生を実行してもよい。図示されているように、ＯＸＣ３１０内にｎ個の再生モジュール３８０が含まれ、出力ポート３３０の各々に１つのモジュール３８０がある。ＯＸＣ３１０の他方の再生素子は、再生モジュール３８２である。再生モジュール３８２は、ＯＸＣ３１０の再生ループバック部３９０に転送される選択されたトラフィックについて、再生に加えて、波長変換を実行する。総てのトラフィックが再生モジュール３８２へ転送されるわけではないので、ＯＸＣ３１０はｌ個のモジュール３８２を含む（ｌはｎより小さい）。
【００３６】
再生モジュール３８０，３８２の各々は、受信した信号をそのチャネル成分に分けるデマルチプレクサ３８４（又は、図４に示されるように、分配増幅器及びフィルタを使用してもよい。）と、受信した信号のチャネル成分内のトラフィックを再生及び／又は波長変換する一連のトランスポンダ３８６と、再生されたトラフィックを合成する合成増幅器３８８とを含んでもよい。特定の実施例では、モジュール３８０のトランスポンダ３８６ａ及びモジュール３８２のトランスポンダ３８６ｂで実行される再生形式は異なっていてもよい。例えば、トランスポンダ３８６ａが２Ｒ再生を実行し、トランスポンダ３８６ｂが３Ｒ再生を実行してもよいし、或いはその逆が行われてもよい。更に、上述したように、トランスポンダ３８６ｂは波長変換を行うが、トランスポンダ３８６ａは行わないかもしれない。更に、特定の実施例では、再生モジュール３８０は含まれなくてもよい。
【００３７】
ＯＸＣ３１０は、一連の分配増幅器３４０，３４２と、フィルタ部３５０，３５２と、選択されたトラフィックを受信して特定の再生モジュール３８０，３８２に転送する合成増幅器３６０，３６２とを含む。より具体的には、ＯＸＣ３１０は、多数の分配増幅器３４０を含み、その各々は別個の入力信号を受信し、その信号の複数の複製を作成する。図示の簡明化のためブロック図形式で、図５に示されているが、分配増幅器３４０は、上述した分配増幅器と同じに又は同様に構成及び動作してもよい。
【００３８】
各入力信号３２２の複数の複製は、関連する分配増幅器３４０から関連するフィルタ部３５０へ転送される。フィルタ部３５０は、受信した複製を１以上から選択したチャネル内のトラフィックを転送するように、上述したフィルタ部と同じに又は同様に構成及び動作してもよい。上述したフィルタ部とは異なり、フィルタ部３５０の各々は、複数の入力信号３２２の１つの複製を各々が受信するのではなく、１つの入力信号３２２の複数の複製を各々が受信する。しかしながら、これは単に実現上の事項であり、本発明の適切ないかなる実施例にいずれも使用できる。図示されている実施例の各フィルタ部３５０は、受信した複製の選択されたチャネル内のトラフィックを、適切ないかなる組み合わせの合成増幅器３６０及び／又は３６２に転送してもよい。
【００３９】
１以上のフィルタ部３５０により転送されたあるトラフィックは、１以上の合成増幅器３６０に通知される。合成増幅器３６０は、複数の受信信号を１つのしのぐに合成するように上述した合成増幅器と同じに又は同様に構成及び動作してもよい。図５に示されるように、合成増幅器３６０は、以下に説明されるように、再生ループバック部３９０のフィルタ部３５０及びフィルタ部３５２の双方から信号を受信してもよい。各合成増幅器３６０により合成された信号は、関連する再生モジュール３８０に通知され、再生モジュールは上述したように受信信号のチャネル成分内のトラフィックを再生する。各再生モジュール３８０の合成増幅器３８８は、再生されたトラフィックを合成し、合成されたトラフィックを、出力信号３３２として通知するために、関連する出力ポート３３０へ転送する。
【００４０】
１以上のフィルタ部３５０により転送された他のトラフィックは、再生ループバック部３９０に含まれる１以上の合成増幅器３６２に通知されてもよい。合成増幅器３６２は、複数の受信信号を１つの信号に合成するよう上述された合成増幅器と同じに又は同様に構成され及び動作してもよい。各合成増幅器３６２で受信されたトラフィック（１以上のフィルタ部３５０から選択されたチャネル内のトラフィック）は、単独の信号に合成され、関連する再生モジュール３８２に転送される。再絵師モジュールは、上述されたように、受信信号内のチャネル成分内のトラフィックを再生するように及び潜在的に波長変換されるように動作してもよい。各再生モジュール３８２の合成増幅器３８８は、再生されたトラフィックを合成し、合成されたトラフィックを、関連する分配増幅器３４２へ転送する。
【００４１】
分配増幅器３４２は、上述した分配増幅器と同じに又は同様に構成され及び動作してもよい。各分配増幅器３４２は、関連する再生モジュール３８２により受信信号の複数の複製を生成し、その複製を関連するフィルタ部３５２に転送する。特定のチャネル内のトラフィックが通信される出力ポート３３０に依存して、受信した複製の１以上から選択されたチャネル内のトラフィックを特定の合成増幅器３６０へ転送するように上述されたフィルタ部と同じに又は同様に、フィルタ部３５２は構成され及び動作してもよい。上述したように、合成増幅器３６０は、１以上のフィルタ部３５２から受信したトラフィックを、フィルタ部３５０から受信した他のトラフィックと合成し、合成されたトラフィックを関連する出力ポート３３０へ転送する。
【００４２】
このように、ＯＸＣ３１０は、上述したＯＸＣと同様の能力を有し、いかなる入力信号３２２のいかなるチャネルも、ＯＸＣ３１０のどの出力ポート３３０にも転送されることを可能にする（但し、入力信号の全部又は一部が出力ポート３３０全部より少ないものに転送されてもよいように、ＯＸＣ３１０が構成されてもよい。）。更に、ＯＸＣ３１０は、選択された入力信号３２２から選択されたチャネルを再生ループバック部３９０に転送する更なる能力を付加する。選択された入力信号３２２の選択されたチャネルのみが、再生ループバック部３９０により提供される再生及び／又は波長変換の機能を必要とするので、選択された信号のみを再生ループバック部３９０に転送する能力（機能）は、入力信号３２２の総てのチャネルが再生を必要とする場合（再生モジュール３８０を備える場合）に要するものよりも少数の再生モジュールを、その装置が有することを可能にする。従って、ＯＸＣ３１０は、従来の光相互接続装置よりもコストを節約できる。
【００４３】
図６は、本発明の他の実施例による共通フィルタ部４５０及びスイッチ４４０，４６０を有するＯＸＣ４１０を示すブロック図である。ＯＸＣ４１０は、ＯＸＣ３１０の再生ループバック部３９０と動作が類似する再生ループバック部４９０を含む。ＯＸＣ３１０及びＯＸＣ４１０間の主な相違は、ＯＸＣ４１０は、分配増幅器３４０を１つのマルチキャストスイッチ４４０で置換し、フィルタ３５０を１つのフィルタ部４５０で置換し、合成増幅器３６０を１つの合成スイッチ４６０で置換していることである。従って、入力ポート及び再生ループの各々が、別個の分配増幅器、フィルタ部及び合成増幅器を備える代わりに、入力ポート及び再生ループは、共通のマルチキャストスイッチ４４０、フィルタ部４５０及び合成スイッチ４６０を共有する。
【００４４】
より具体的には、ＯＸＣ４１０は、ｎ個の入力ポート４２０ａ−４２０ｎと、ｎ個の関連する入力信号４２２ａ−４２２ｎを含む。入力信号４２２の特定のチャネル内のトラフィックが、（再生部４８０により）１以上の出力ポートに直接的に伝送される、或いは１以上の出力ポート４３０に出力される前に、再生ループバック部４９０により最初に転送されるようにＯＸＣ４１０が構成されてもよい。
【００４５】
ＯＸＣ３１０と同様に、ＯＸ４１０は、２つの別種の再生を実行する素子を含む。その第１の素子は、再生モジュール４８０である。再生モジュール４８０は、ＯＸＣ４１０から出力される総てのトラフィックについて、（例えば２Ｒや３Ｒ再生のような）再生を実行してもよい。図示されているように、ＯＸＣ４１０に含まれるｎ個の再生モジュール４８０があり、出力ポート４３０の各々につき１つのモジュール４８０がある。ＯＸＣ４１０の他方の再生素子は、再生モジュール４８２である。再生モジュール４８２は、ＯＸＣ４１０の再生ループバック部４９０に転送される選択されたチャネルについて、再生に加えて、波長変換を行う。総てのトラフィックが再生モジュール４８２に転送されるわけではないので、ＯＸＣ４１０はｌ個のモジュール４８２を含み、ｌはｎより小さい数である。再生モジュール４８０，４８２の各々は、デマルチプレクサ（又は分配増幅器及びフィルタ部を利用してもよい）と、一連のトランスポンダ３８６と、合成増幅器３８８とを含む。再生モジュール４８０，４８２はトランスポンダ３８０，３８２と同じに又は同様に、それぞれ構築され及び動作してもよい。特定の実施例では、再生モジュール４８０は含まれなくてもよい。
【００４６】
上述したように、ＯＸＣ４１０はマルチキャストスイッチ４４０、フィルタ部４５０及び合成スイッチ４６０を含み、それらは共に、選択されたトラフィックを受信し、特定の再生モジュール４８０，４８２に転送する。マルチキャストスイッチ４４０はあ、複数の入力を受信し、それらの入力の各々を１以上の出力に切り換える。ＯＸＣ４１０で使用されるように、スイッチ４４０への入力は、入力信号４２２と、各トランスポンダ４８２から受信した信号との双方を含む。スイッチ４４０からの出力は、フィルタ４５０に送信される信号である。このようなスイッチング（切り換え）機能を実行することに加えて、スイッチ４４０は、図６に示されるように、１つの入力を複数の出力にマルチキャストするように動作する。特定の実施例では、スイッチ４４０は、マルチキャスト機能（例えば、リンクスフォトニクスネットワーク（Ｌｙｎｘ  Ｐｈｏｔｏｎｉｃｓ  Ｎｅｔｗｏｒｋｓ（登録商標））により製造されるフォトンＰＣＳＳ（Ｐｈｏｔｏｎ．ＰＣＳＳ（登録商標））スイッチ等）を有するプレーナ光波回路（ＰＬＣ）であるが；適切ないかなるスイッチが使用されてもよい。
【００４７】
上述したように、マルチキャストスイッチ４４０から出力された信号は、フィルタ部４５０へそれぞれ転送される。上述したＯＸＣとは異なり、ＯＸＣ４１０は、フィルタ４５２のバンクを含む単独のフィルタ部４５０を含む。フィルタ４５２は、上述したフィルタ部のフィルタと同様に構成され及び動作する。上述したＯＸＣの例は、各入力信号と同数の複製を生成するので（或いは、そのように動作する機能を少なくとも有する）、その実施例は、各入力信号の複製の各々につき１つのフィルタを含んでいた。しかしながら、多くの複製を生成することが必要とされない用途ならば、共通のフィルタ部４５０が使用されてもよい。フィルタ部４５０は、必要数のフィルタのみがインストールされることを要するのでコストを節約する利点を提供し、フィルタ部４５２は必要に応じて付加及び除去できるので柔軟性（フレキシビリティ）を提供する。特定数のフィルタ４５２が描かれているが、適切ないかなる数のフィルタ４５２が使用されてもよい。ＯＸＣ４１０は、フィルタ部４５０から出力されたトラフィックを受信し、その入力（又は入力の組み合わせ）の各々を特定の出力に切り換える。各出力は再生モジュール４８０又は４８２に転送されてもよい。スイッチ４６０は、入力をマルチキャストする代わりに入力を合成する点を除いて、スイッチ４４０と同様に構成され及び動作してもよい。スイッチ４４０，４６０の双方に同一形式の装置が使用されてもよい。
【００４８】
動作時にあっては、入力信号４２２は入力ポート４２０で受信される。各入力信号は、マルチキャストスイッチ４４０に転送され、スイッチ４４０の１以上の出力に切り換えられる。スイッチ４４０の各出力からの信号は、関連するフィルタ４５２に転送され、そのフィルタは受信した入力信号４２２から選択したチャネルを転送する。選択されたチャネルは、各フィルタ４５２から、合成スイッチ４６０の関連する入力に転送される。合成スイッチ４６０は、各入力で受信された選択されたトラフィックを、再生モジュール４８０又は４８２の何れかに転送する。上述したように、スイッチ４６０の複数の入力で受信されたトラフィックは、合成され、スイッチ４６０の１つの出力に転送される。再生モジュール４８０に転送されたトラフィックは、再生され、関連する出力ポート４３０から出力される。再生モジュール４８２に転送されたトラフィックは、上述したように再生及び波長変換され、その後にマルチキャストスイッチ４４０に返送される。このトラフィックは、スイッチ４４０、フィルタ部４５０及びスイッチ４６０を通じて、特定の再生モジュール４８０に転送され、再生され、所望の出力ポート４３０から出力される。
【００４９】
このように、ＯＸＣ４１０は、上述したＯＸＣと同様の機能を有し、いかなる入力信号４２２のいかなるチャネルも、ＯＸＣ４１０のいかなる出力ポート４３０に転送できる（但し、ＯＸＣ４１０は、入力信号４２２の全部又は一部が、出力ポート４３０の全部よりも少数のものに転送されてもよい。）。更に、ＯＸＣ３１０と同様に、ＯＸＣ４１０は、選択された入力信号４２２から選択したチャネルを再生ループバック部４９０に転送する。選択された入力信号４２２の選択されたチャネルのみが、再生ループバック部４９０により提供される再生及び／又は波長変換の機能を必要とするので、再生ループバック部４９０に選択された信号のみを転送する機能は、その装置が少数の再生モジュール４８２を有することを可能にし、そのモジュール数は、入力信号４２２の総てのチャネルが再生を必要としたならば必要とされるものより少ない（再生モジュール４８０を備える場合）。従って、ＯＸＣ４１０は、従来の光相互接続装置よりもコストを節約できる。
【００５０】
図７は、本発明の更に別の実施例によるＯＸＣ５１０を示す。ＯＸＣ５１０は、再生ループバック部を含まない点を除いて、ＯＸＣ３１０と同様な要素を含む。その代わりに、ＯＸＣ５１０の出力５３０に転送される総ての信号は、単独の再生（及び波長変換の可能性もある）を経て進行する。ＯＸＣ５１０は、多数の分配増幅器５４０を含み、分配増幅器の各々は、別々の入力信号５２２を受信し、その信号の複数の複製を生成する。簡明化のためブロック形式で図７に示されているが、分配増幅器５４０は、上述した分配増幅器と同じに又は同様に構成され及び動作してもよい。各入力信号５２２の複数の複製は、関連する分配増幅器５４０から関連するフィルタ部５５０へ転送される。フィルタ部５５０は、１以上の受信した複製から選択されたチャネル内のトラフィックを転送するように、上述したフィルタと同じに又は同様に構成され及び動作してもよい。図示の実施例のフィルタ部５５０の各々は、受信した複製の選択されたチャネル内のトラフィックを、１以上の合成増幅器５６０に転送する。
【００５１】
合成増幅器５６０は、受信した複数の信号を１つの信号に合成するように、上述した造成増幅器と同じに又は同様に構成され及び動作してもよい。各合成増幅器３６０により合成された信号は、関連する再生モジュール５８０に通知され、再生モジュールは、受信した信号のチャネル成分内のトラフィックを再生する。再生モジュール５８０の各々は、受信信号をそのチャネル成分に分離するデマルチプレクサ（図４に示されるように、分配増幅器とフィルタ部を使用してもよい）と、受信した信号のチャネル成分会いのトラフィックを再生及び／又は波長変換する一連のトランスポンダと、再生されたトラフィックを合成する合成増幅器とを含む。トランスポンダは、（２Ｒ又は３Ｒのような）適切な形式の再生を実行する。更に、上述したように、トランスポンダは、受信したトラフィックの全部又は一部について波長変換を実行してもよい。各再生モジュール５８０の合成増幅器は、再生されたトラフィックを合成し、出力信号５３２として通信するために、合成されたトラフィックを関連する出力ポート５３０へ転送する。再生部５８０は、合成増幅器５６０及び出力ポート５３０の間に設けられるように描かれているが、他の実施例では、その代わりに、トランスポンダ５８０は、入力ポート５２０及び分配増幅器５４０の間に設けられてもよく、分配増幅器５４０によって入力信号が受信される前に、各入力信号５２２のチャネル成分内のトラフィックを再生及び波長変換してもよい。
【００５２】
このように、ＯＸＣ５１０は、いかなる入力信号５２２のいかなるチャネルも、どの出力ポート５３０にでも転送できる（但し、入力信号５２２の全部又は一部が出力ポート全部より少数のものに転送されてもよいように、ＯＸＣ５１０が構成されてもよい。）。更に、ＯＸＣ５１０は、各合成増幅器５６０により転送された選択されたトラフィックを生成し、波長変換する可能性もある（又は、分配される前に入力信号を再生する。）。
【００５３】
上述した特定の実施例では、ＯＸＣの様々な要素の各々は、個別的なカードとして実装され、カード棚の背面で相互接続されてもよい。或いは、それらの要素の１以上の機能が、複数の個別的なカードの間で分散されてもよい。このように、ＯＸＣは、モジュール式であり、アップグレード可能であり、「ペイアズユーグロー」（進捗に応じた支出の）アーキテクチャを提供する。ＯＸＣの要素は、直接的な、間接的な又は他の適切な接続又は関連付けにより結合されてもよい。これらの要素及び要素内の装置は、光ファイバ接続、プレーナウエーブガイド回路、自由空間光学素子を用いて及び／又は他の適切な技術を用いて接続されてもよい。更に、適切な環境で選択された利益を得るために、上述したいかなるＯＸＣの要素及び特徴も、適切な何らかの手法で組合わせられてもよい。
【００５４】
以上本発明がいくつかの実施例と共に説明されてきたが、様々な変更及び修正が当業者に示唆されるであろう。本発明はそのような変更及び修正を添付の特許請求の範囲内に包含することが意図されている。
【００５５】
以下、本発明により教示される手段を例示的に列挙する。
【００５６】
（付記１）
複数の入力ポートと、
光出力信号を各々が出力する複数の出力ポートと、
入力ポートの各々に関連する分配増幅器と、
複数のフィルタ部と、
出力ポートの各々に関連する合成増幅器と、
１以上の再生モジュールと、
を備える光相互接続装置であって、前記複数の入力ポートの各々は光入力信号を受信し、光入力信号の各々は複数のチャネルより成り、複数のチャネルの各々は光トラフィックを伝送し、
分配増幅器の各々は、関連する入力ポートで受信した入力信号の複製を複数個生成し、
複数のフィルタ部の各々は、１以上の分配増幅器からの１以上の入力信号の複製を受信し、１以上の複製の選択されたチャネル内のトラフィックを転送し、
合成増幅器の各々は、１以上のフィルタ部により転送された１以上のチャネル内のトラフィックを受信し、関連する出力ポートから出力するために、受信したトラフィックを出力信号に合成し、
１以上の再生モジュールの各々は、１以上の入力信号の１以上のチャネル内のトラフィックを再生する
ことを特徴とする光相互接続装置。
【００５７】
（付記２）
前記再生モジュールの各々が、
１以上のチャネル内のトラフィックを各々が再生する１以上のトランスポンダと、
１以上のトランスポンダから受信した再生されたトラフィックを合成する１以上の合成増幅器と、
を備えることを特徴とする付記１記載の光相互接続装置。
【００５８】
（付記３）
前記再生モジュールの各々が、
受信した信号の複製を各々が複数個生成する１以上の分配増幅器と、
１以上の複製の選択されたチャネル内のトラフィックを、１以上のトランスポンダに各々が転送する１以上のフィルタ部と、
を備えることを特徴とする付記２記載の光相互接続装置。
【００５９】
（付記４）
前記再生モジュールの各々が、１以上のデマルチプレクサから更に構成され、デマルチプレクサの各々は、
受信した信号を、受信した信号の１以上のチャネル成分内のトラフィックに分離し、
１以上のチャネル内のトラフィックを１以上のトランスポンダに転送する
ことを特徴とする付記２記載の光相互接続装置。
【００６０】
（付記５）
１以上の再生モジュールが、更に、１以上の入力信号の１以上のチャネル内のトラフィックの波長を変換する
ことを特徴とする付記１記載の光相互接続装置。
【００６１】
（付記６）
１以上の再生モジュールの各々が、関連する合成増幅器と関連する出力ポートとの間に設けられる
ことを特徴とする付記１記載の光相互接続装置。
【００６２】
（付記７）
１以上の再生モジュールの各々が、関連する分配増幅器と関連する入力ポートとの間に設けられる
ことを特徴とする付記１記載の光相互接続装置。
【００６３】
（付記８）
１以上の入力信号の１以上の選択されたチャネル内のトラフィックのみが、再生用の１以上の再生モジュールに転送されるように、１以上の再生モジュールが再生ループ内に設けられる
ことを特徴とする付記１記載の光相互接続装置。
【００６４】
（付記９）
分配増幅器の各々が、関連する入力信号の複製を複数個生成するように、複数の受動的な光カプラより成る
ことを特徴とする付記１記載の光相互接続装置。
【００６５】
（付記１０）
合成増幅器の各々が、受信したトラフィックを関連する出力信号に合成するように、複数の受動的な光カプラより成る
ことを特徴とする付記１記載の光相互接続装置。
【００６６】
（付記１１）
フィルタ部の各々が、選択されたチャネル内のトラフィックを通過させ、残りのチャネル内のトラフィックを終端させることで、１以上の選択されたチャネル内のトラフィックを転送する
ことを特徴とする付記１記載の光相互接続装置。
【００６７】
（付記１２）
各フィルタ部が１以上のフィルタより成り、フィルタの各々は、入力信号の複製を受信し、特定の入力信号に関して、選択されたチャネルのトラフィックを通過させ、残りのチャネル内のトラフィックを終端させる
ことを特徴とする付記１記載の光相互接続装置。
【００６８】
（付記１３）
前記フィルタが、チューナブルフィルタより成る
ことを特徴とする付記１記載の光相互接続装置。
【００６９】
（付記１４）
複数の入力ポートと、
光出力信号を各々が出力する複数の出力ポートと、
１以上の入力信号を１以上のフィルタに転送するマルチキャストスイッチと、
１以上のフィルタと、
合成スイッチと、
１以上の再生モジュールと、
を備える光相互接続装置であって、前記入力ポートの各々は光入力信号を受信し、入力信号の各々は複数のチャネルより成り、複数のチャネルの各々は光トラフィックを伝送し、
前記フィルタの各々は、マルチキャストスイッチから入力信号を受信し、入力信号の選択されたチャネル内のトラフィックを転送し、
前記合成スイッチは、１以上のフィルタから転送された１以上のチャネル内のトラフィックを受信し、トラフィックを１以上の再生モジュールに転送し、
前記再生モジュールの各々は、合成スイッチから転送された１以上のチャネル内のトラフィックを再生する
ことを特徴とする光相互接続装置。
【００７０】
（付記１５）
前記マルチキャストスイッチは、入力信号の少なくとも１つを複数のフィルタに転送する
ことを特徴とする付記１４記載の光相互接続装置。
【００７１】
（付記１６）
前記合成スイッチが、複数のフィルタから受信したトラフィックを、単独の際せモジュールに転送する
ことを特徴とする付記１４記載の光相互接続装置。
【００７２】
（付記１７）
前記再生モジュールの各々が、
１以上のチャネル内のトラフィックを各々が再生する１以上のトランスポンダと、
１以上のトランスポンダから受信した再生されたトラフィックを合成する１以上の合成増幅器と、
を備えることを特徴とする付記１４記載の光相互接続装置。
【００７３】
（付記１８）
前記再生モジュールの各々が、
合成スイッチから受信したトラフィックの複製を各々が複数個生成する１以上の分配増幅器と、
１以上の複製の選択されたチャネル内のトラフィックを、１以上のトランスポンダに各々が転送する１以上のフィルタ部と、
を備えることを特徴とする付記１７記載の光相互接続装置。
【００７４】
（付記１９）
前記再生モジュールの各々が、１以上のデマルチプレクサから更に構成され、デマルチプレクサの各々は、
合成スイッチから受信したトラフィックを、１以上のチャネル成分に分離し、
１以上のチャネル内のトラフィックを１以上のトランスポンダに転送する
ことを特徴とする付記１４記載の光相互接続装置。
【００７５】
（付記２０）
１以上の再生モジュールが、更に、合成スイッチから受信したトラフィックであって、１以上のチャネル内のトラフィックの波長を変換する
ことを特徴とする付記１４記載の光相互接続装置。
【００７６】
（付記２１）
１以上の入力信号の１以上の選択されたチャネル内のトラフィックのみが、再生用の１以上の再生モジュールに転送されるように、１以上の再生モジュールが再生ループ内に設けられる
ことを特徴とする付記１４記載の光相互接続装置。
【００７７】
（付記２２）
フィルタの各々が、選択されたチャネルのトラフィックを通過させ、残りのチャネル内のトラフィックを終端させることで、１以上の選択されたチャネル内のトラフィックを点転送する
ことを特徴とする付記１４記載の光相互接続装置。
【００７８】
（付記２３）
前記フィルタが、チューナブルフィルタより成る
ことを特徴とする付記１４記載の光相互接続装置。
【００７９】
（付記２４）
複数の入力ポートの各々にて光入力信号を受信するステップであって、各入力信号は、光トラフィックを各々が伝送する複数のチャネルより成るところのステップと、
１以上の入力信号の複製を複数個生成するステップと、
１以上の入力信号の複製を１以上のフィルタ部で受信するステップと、
各フィルタ部で受信した１以上の複製の選択されたチャネル内のトラフィックを転送するステップと、
２以上のフィルタ部から受信したトラフィックを合成するステップと、
合成されたトラフィックを１以上の再生モジュールに転送するステップと、
再生モジュールで受信したトラフィックを再生するステップと、
再生されたトラフィックを、出力ポートから出力されるように、１以上の出力ポートに転送するステップと、
を有することを特徴とする光信号を相互接続する方法。
【００８０】
（付記２５）
更に、再生モジュールで受信したトラフィックの波長を変換するステップを有する
ことを特徴とする付記２４記載の方法。
【００８１】
（付記２６）
１以上の入力信号の複数の複製が、複数の受動的な光カプラを用いて生成される
ことを特徴とする付記２４記載の方法。
【００８２】
（付記２７）
１以上の入力信号の複数の複製が、多重化スイッチを用いて生成される
ことを特徴とする付記２４記載の方法。
【００８３】
（付記２８）
複数の受動的な光カプラを用いて、トラフィックが合成される
ことを特徴とする付記２４記載の方法。
【００８４】
（付記２９）
合成スイッチを用いて、トラフィックが合成される
ことを特徴とする付記２４記載の方法。
【００８５】
（付記３０）
入力光信号の複製に関する１以上の選択されたチャネル内のトラフィックを転送するステップが、信号の選択されたチャネル内のトラフィックを通過させ、信号の残りのチャネル内のトラフィックを終端させるステップより成る
ことを特徴とする付記２４記載の方法。
【００８６】
（付記３１）
複数の光入力信号を受信する手段であって、各入力信号は、光トラフィックを各々が伝送する複数のチャネルより成るところの手段と、
各入力信号の複製を複数個生成する手段と、
１以上の複製の選択されたチャネル内のトラフィックを１以上ｊの出力ポートに転送する手段と、
各出力ポートで受信したトラフィックを、出力ポートから出力されるように、光出力信号に合成する手段と、
１以上の入力信号の１以上のチャネル内のトラフィックを再生する手段と、
を備えることを特徴とする光信号を相互接続する方法。
【図面の簡単な説明】
【００８７】
【図１】光相互接続装置の例を示すブロック図である。
【図２】例示的な光相互接続装置のフィルタ部及び合成増幅器を示す詳細なブロック図である。
【図３】光信号を相互接続する方法例を示すフローチャートである。
【図４】本発明の一実施例による再生ループを有する光相互接続装置を示すブロック図である。
【図５】本発明の他の実施例による再生ループバックを有する光相互接続装置を示すブロック図である。
【図６】本発明の他の実施例による共通フィルタ部及びスイッチを有する光相互接続装置を示すブロック図である。
【図７】本発明の他の別の実施例による光相互接続装置を示す。
【符号の説明】
【００８８】
１０  ＯＸＣ；  ２０  入力ポート；  ２２  入力信号；  ３０  出力ポート；  ３２  出力信号；  ４０  分配増幅器；  ５０  フィルタ部；  ５２  フィルタ；  ６０  合成増幅器；  ７０  カプラ；  
１４０  分配増幅器；  １５０  フィルタ部；  １６０  合成増幅器；  １７０  カプラ；
２１０  ＯＸＣ；  ２２０  入力ポート；  ２２２  入力信号；  ２３０  出力ポート；  ２３２  出力信号；  ２４０  分配増幅器；  ２５０  フィルタ部；  ２６０  合成増幅器；  ２７０  カプラ；  ２８０  再生モジュール；  ２８２  分配増幅器；  ２８４  フィルタ部；  ２８６  トランスポンダ；  ２８８  合成増幅器；  
３１０  ＯＸＣ；  ３２０  入力ポート；  ３２２  入力信号；  ３３０  出力ポート；  ３３２  出力信号；  ３４０，３４２  分配増幅器；  ３５０，３５２  フィルタ部；  ３６０，３６２  合成増幅器；  ３８０，３８２  再生モジュール；  ３８４  マルチプレクサ；  ３８６  トランスポンダ；  ３８８  合成増幅器；  ３９０  再生ループバック部；
４１０  ＯＸＣ；  ４２０  入力ポート；  ４２２  入力信号；  ４３０  出力ポート；  ４３２  出力信号；  ４４０，４６０  スイッチ；  ４５０  共通フィルタ部；  ４８０，４８２  再生モジュール；  
５１０  ＯＸＣ；  ５２０  入力ポート；  ５２２  入力信号；  ５３０  出力ポート；  ５３２  出力信号；  ５４０  分配増幅器；  ５５０  フィルタ部；  ５６０  合成増幅器；  ５８０  再生モジュール
【図１】
0004634125.tif 000002
【図２】
0004634125.tif 000003
【図３】
0004634125.tif 000004
【図４】
0004634125.tif 000005
【図５】
0004634125.tif 000006
【図６】
0004634125.tif 000007
【図７】
0004634125.tif 000008